(57)【要約】【課題】  次原稿判定有無確定タイミングまでは底板の下降動作を待機させ、原稿の継ぎ足しによるコピースピードの低下防止とユーザの使い勝手を向上させる自動原稿搬送装置を提供する。【解決手段】  原稿束１を積み重ねた状態で収容する原稿セット部Ａと、この原稿セット部Ａにセットされた前記原稿束１を検知する原稿検知部材５と、原稿セット検知後に呼び出し手段７に当接させるために原稿セット部持ち上げ機構５４、５５、５６、５７を有し、前記呼び出し手段７は前記原稿セット部Ａに収容された最上位原稿を順次機内へと送り出す自動原稿搬送装置において、前記原稿束１の最終紙検知における前記原稿セット部の最下降位置への下降動作を所定時間経過後に実行する機能を有するコントローラ部４８を備える。【選択図】        図３
2006246257.tif 000002
【特許請求の範囲】
【請求項１】
原稿束を収容する原稿セット部と、この原稿セット部にセットされた前記原稿の有無を検知する原稿検知部材と、原稿セット検知後に該原稿セット部上の原稿を呼び出し手段に当接させるために原稿セット部を上昇させる原稿セット部持ち上げ機構を有し、前記呼び出し手段は前記原稿セット部に収容された最上位原稿を順次機内へと送り出す自動原稿搬送装置において、前記原稿束の最終紙検知における前記原稿セット部の最下降位置への下降動作を所定時間経過後に実行する機能を有するコントローラ部を備えることを特徴とする自動原稿搬送装置。
【請求項２】
前記コントローラ部は、前記原稿束の最終紙検知における前記原稿セット部の最下降位置への下降動作を所定時間待っている間に、再び原稿がセットされるかどうかを検知する機能を有することを特徴とする請求項１記載の自動原稿搬送装置。
【請求項３】
前記コントローラ部は、前記原稿束の最終紙検知における前記原稿セット部の最下降位置への下降動作を所定時間待っている間に、再び原稿がセットされたことを検知した場合には最下降位置への下降動作を行わない機能を有することを特徴とする請求項１記載の自動原稿搬送装置。
【請求項４】
前記コントローラ部は、原稿束の最終紙検知直後に前記原稿セット部の下降動作を開始し、最下降位置までの中間下降位置にて所定時間停止させ、所定時間経過後に最下降位置まで下降動作を行う機能を有することを特徴とする請求項１記載の自動原稿搬送装置。
【請求項５】
前記コントローラ部は、前記原稿セット部の下降動作開始から中間下降位置に所定時間停止している間に再び原稿がセットされるかどうかを検知する機能を有することを特徴とする請求項４記載の自動原稿搬送装置。
【請求項６】
前記コントローラ部は、前記原稿セット部の下降動作開始から中間下降位置に所定時間停止している間に再び原稿がセットされたことを検知した場合には再び最上位原稿を前記呼び出し手段に当接させるように上昇動作を行う機能を有することを特徴とする請求項４記載の自動原稿搬送装置。
【発明の詳細な説明】
【技術分野】
【０００１】
本発明は、読み取り原稿セット部に底板の上昇および下降機構を有する、複写機、ファクシミリ等の画像形成装置における自動原稿搬送装置に関するものである。
【背景技術】
【０００２】
従来の自動原稿搬送装置において、セットされた原稿が複数枚ある場合には次の読み取り原稿が搬送されて行くことを複写機本体に通知する必要があり、複写機本体はその通知を受け次第、次原稿の読み取り・転写等の準備を行う構成となっている（例えば、特許文献１および２参照）。
特許文献１には、原稿の給紙開始時にセットされた原稿束を給紙可能位置まで上昇させる底板機構を有し、最終原稿搬送を検知した後、底板を最下降位置まで動作させる構成が開示されている。
特許文献２には、底板の下降制御において半自動原稿送りモードを設定し、この半自動原稿送りモードが選択された場合にのみ底板を中間下降位置に停止させ、原稿のセット性および複写スピードの向上を図る技術が開示されている。
上述した、次の読み取り原稿の存在を通知する仕様として、自動原稿搬送装置内の搬送途中に次の原稿のセットが確実に未検出だと判別できる地点（原稿搬送中の未セットが確実に判別できるポイント）で、次の原稿有無の判定を実行するコマンドを送出する。
そのコマンド受信までに原稿未セットコマンドが送出されていれば、次のプロセス無しと判定、原稿未セットコマンドが送出されていなければ次のプロセス有りと判定し、複写動作を継続する仕様となっている。
自動原稿搬送装置は、次原稿有無判定コマンド送出時点での原稿セット部材の状態をチェックし、次の原稿有りならば呼び出し手段により原稿束から最上位紙を分離動作させ、機内へと搬送・読み取りを実行する。
セット部に配置されたセット検知部材が最終原稿の後端を検出すると、底板は次の原稿束セットに備えて下降動作し、最下降位置まで動作した後停止し、次の原稿束のセット待ち受けを行う。
【特許文献１】特開平９−１６６８３１号公報
【特許文献２】特開平１１−１９９０６５号公報
【発明の開示】
【発明が解決しようとする課題】
【０００３】
しかしながら、原稿束搬送完了による底板の下降動作開始と、次原稿有無判定コマンドを発行し、次の原稿無しを確定するタイミングには時間的なラグが存在し、底板が下降動作を開始した直後に原稿が再セットされ、次原稿判定有無コマンド発行時点では次の原稿有りと認識してしまうケースが存在することとなる。
こういった場合においては、底板がいったん下降し終わり、再び上昇・呼び出し手段に当接させるまで次の原稿の給紙搬送は不可能になり、複写時間のロスといった問題がある。
また、ユーザによっては継ぎ足した原稿が束の状態である場合も考えられる。セット原稿束の最終紙が上部呼び出し手段に当接する状態の底板位置に束原稿がセットされた場合、最上位紙位置が給紙最適位置を越えた上部になっている可能性がある。こういった場合では最悪原稿ジャムが発生する可能性がある。
そこで、本発明の目的は、上述した実情を考慮して、次原稿判定有無確定タイミングまでは底板の下降動作を待機させ、原稿の継ぎ足しによるコピースピードの低下防止とユーザの使い勝手を向上させる自動原稿搬送装置を提供することにある。
また、本発明の他の目的は、上述した実情を考慮して、半自動原稿送りモードの有無に関わらず、最終原稿を検出後の底板下降動作は最下降位置まで下降する途中の中間停止位置でいったん停止し、停止中の所定時間内に束原稿を継ぎ足しされた場合には確実な給紙と複写スピードの損失を最小限に留め、ユーザの使い勝手を向上させる自動原稿搬送装置を提供することにある。
【課題を解決するための手段】
【０００４】
上記の課題を解決するために、請求項１に記載の発明は、原稿束を収容する原稿セット部と、この原稿セット部にセットされた前記原稿の有無を検知する原稿検知部材と、原稿セット検知後に該原稿セット部上の原稿を呼び出し手段に当接させるために原稿セット部を上昇させる原稿セット部持ち上げ機構を有し、前記呼び出し手段は前記原稿セット部に収容された最上位原稿を順次機内へと送り出す自動原稿搬送装置において、前記原稿束の最終紙検知における前記原稿セット部の最下降位置への下降動作を所定時間経過後に実行する機能を有するコントローラ部を備えることを特徴とする。
また、請求項２に記載の発明は、前記コントローラ部は、前記原稿束の最終紙検知における前記原稿セット部の最下降位置への下降動作を所定時間待っている間に、再び原稿がセットされるかどうかを検知する機能を有する請求項１記載の自動原稿搬送装置を特徴とする。
また、請求項３に記載の発明は、前記コントローラ部は、前記原稿束の最終紙検知における前記原稿セット部の最下降位置への下降動作を所定時間待っている間に、再び原稿がセットされたことを検知した場合には最下降位置への下降動作を行わない機能を有する請求項１記載の自動原稿搬送装置を特徴とする。
また、請求項４に記載の発明は、前記コントローラ部は、原稿束の最終紙検知を検知直後に前記原稿セット部の下降動作を開始し、最下降位置までの中間下降位置にて所定時間停止させ、所定時間経過後に最下降位置まで下降動作を行う機能を有する請求項１記載の自動原稿搬送装置を特徴とする。
また、請求項５に記載の発明は、前記コントローラ部は、前記原稿セット部の下降動作開始から中間下降位置に所定時間停止している間に再び原稿がセットされるかどうかを検知する機能を有する請求項４記載の自動原稿搬送装置を特徴とする。
また、請求項６に記載の発明は、前記コントローラ部は、前記原稿セット部の下降動作開始から中間下降位置に所定時間停止している間に再び原稿がセットされたことを検知した場合には再び最上位原稿を前記呼び出し手段に当接させるように上昇動作を行う機能を有する請求項４記載の自動原稿搬送装置を特徴とする。
【発明の効果】
【０００５】
本発明によれば、自動原稿給紙装置において最終原稿搬送における底板のホームポジションへの下降動作開始を遅らせることにより、原稿セット検出センサは後端を検出し、底板は下降動作を開始する。
しかし、まだ次原稿有無判定ポジションまで搬送が行われないサイズの原稿を通紙して、原稿を継ぎ足しし、同じ束としてステイプルしたい場合などに、いったん下がった底板を再び上昇させてから読み取りを行う時間のロスを抑え、複写生産性を向上させることが可能となり、また継ぎ足しによる不可解な動作を回避させ、ユーザへの同一ジョブとしての認識度をより向上させることができる。
【発明を実施するための最良の形態】
【０００６】
以下、図面を参照して、本発明の実施の形態を詳細に説明する。図１は本発明を適用する自動原稿搬送装置の実施の形態を示す概略図である。図２は図１の自動原稿搬送装置の制御ブロック図である。
図１および図２において、自動原稿搬送装置は被読み取り原稿束をセットする原稿セット部Ａ、セットされた両面原稿束から一枚毎原稿を分離して給送する分離給送部Ｂ、給送された原稿の表面を一次突き当て整合する働きと、整合後の原稿を引き出し搬送する働きのレジスト部Ｃ、搬送される原稿をターンさせて、原稿面を読み取り側（下方）に向けて搬送するターン部Ｄに区分される。
自動原稿搬送装置は、また、原稿の画像を、スリットガラス２０の下方より読み取りを行わせる読み取り搬送部Ｅ、読み取り後の原稿の表裏を反転するためのスイッチバック部Ｆ、このスイッチバック部Ｆにてスイッチバックした原稿を再びレジスト部Ｃに戻すための中間搬送部Ｇ、再びターン部Ｄから読み取り搬送部Ｅにより原稿の裏面を読み取り後一時原稿を待機させるスイッチバック部Ｈに区分される。
【０００７】
自動原稿搬送装置は、さらに、スイッチバック部Ｈより原稿を反転し機外に排出する反転排紙部Ｉ、読み取り完了後の原稿を積載保持するスタック部Ｊに区分される。これら搬送動作の駆動を行う駆動部３６〜４１、さらに、一連の動作を制御するコントローラ部４８とから構成されている。上記駆動部中、４０は下反転モータ、４１は上反転モータである。
読み取りを行う原稿束１をセットするのは、可動原稿テーブル３を含む原稿テーブル２上で、原稿面を上向きの状態でセットする。さらに原稿束１の幅方向を図示しないサイドガイドによって搬送方向と直行する方向に位置決めを行う。
原稿のセットはセットフィラー４、セットセンサ５により検知され、Ｉ／Ｆ部４９により本体制御部４７に送信される。さらに可動原稿テーブル３面に設けられた原稿長さ検知センサ３４または３５（反射型センサ、または、原稿１枚にても検知可能なアクチェータ・タイプのセンサが用いられる）により原稿の搬送方向長さの概略が判定される。この場合、少なくとも同一原稿サイズの縦か横かを判断可能なセンサ配置が必要である。
可動原稿テーブル３は底板上昇モータ４２により図１に示すａ、ｂ方向に上下動可能な構成になっている。原稿がセットされたことを前記セットフィラー４およびセットセンサ５により検知すると、底板上昇モータ４２を正転させて原稿束１の最上面がピックアップローラ７と接触するように可動原稿テーブル３を上昇させる。
ピックアップローラ７は、ピックアップモータ（駆動部）３６によりカム機構で図に示すｃ、ｄ方向に動作するとともに、可動原稿テーブル３が上昇し、この可動原稿テーブル３上の原稿上面により押されてｃ方向に上がりテーブル上昇検知センサ８により上限を検知可能となっている。
本体操作部４６より図示してないプリントキーが押下され、本体制御部４７からＩ／Ｆ４９を介して自動原稿搬送装置（ＡＤＦ）のコントローラ部４８に原稿給紙信号が送信されると、ピックアップローラ７は図２に示す給紙モータ３７の正転によりコロが回転駆動する。それにより原稿テーブル２上の数枚（理想的には１枚）の原稿をピックアップする。回転方向は最上位の原稿を給紙口に搬送する方向である。
【０００８】
給紙ベルト９は給紙モータ（駆動部）３７の正転により給紙方向に駆動され、リバースローラ１０は給紙モータ３７の正転により給紙と逆方向に回転駆動され、最上位の原稿とその下の原稿を分離して、最上位の原稿のみを給紙できる構成となっている。
さらに詳しく説明すると、リバースローラ１０は給紙ベルト９と所定圧で接し、給紙ベルト９と直接接しているとき、または原稿１枚を介して接している状態では給紙ベルト９の回転につられて反時計方向に連れ回りし、原稿が、万が一、２枚以上給紙ベルト９とリバースローラ１０の間に侵入したときは連れ回り力がトルクリミッタのトルクよりも低くなるように設定されている。
リバースローラ１０は本来の駆動方向である時計方向に回転し、余分な原稿を押し戻す働きをし、重送が防止される。給紙ベルト９とリバースローラ１０との作用により１枚に分離された原稿は給紙ベルト９によってさらに送られる。突き当てセンサ１１によって先端が検知され、さらに進んで停止しているプルアウトローラ１２に突き当たる。
その後、前出の突当てセンサ１１の検知から所定量定められた距離送られ、結果的には、プルアウトローラ１２に所定量撓みを持って押し当てられた状態で給紙モータ３７を停止させることにより給紙ベルト９の駆動が停止する。
このとき、ピックアップモータ３６を回転させることで、ピックアップローラ１２を原稿上面から退避させ、原稿を給紙ベルト９の搬送力のみで送ることにより、原稿先端は、プルアウトローラ１２の上下ローラ対のニップに進入し、先端の整合（スキュー補正）が行われる。
プルアウトローラ１２は、前記スキュー補正機能を有するとともに、分離後にスキュー補正された原稿をターンローラ１４まで搬送するための機能を有し、給紙モータ３７の逆転により駆動される。またこのとき（給紙モータ３７逆転時）、プルアウトローラ１２とターンローラ１４は駆動されるが、ピックアップローラ７と給紙ベルト９は駆動されていない。
【０００９】
原稿幅センサ１３は奥行き方向に複数個並べられ、プルアウトローラ１２により搬送された原稿の搬送方向に直行する幅方向のサイズを検知する。また、原稿の搬送方向の長さは原稿の先端後端を突き当てセンサ１１で読み取ることによりモータパルスから原稿の長さを検知する。
プルアウトローラ１２およびターンローラ１４の駆動によりレジスト部Ｃからターン部Ｄに原稿が搬送される際には、レジスト部Ｃでの搬送速度を読み取り搬送部Ｅでの搬送速度よりも高速に設定して原稿を読み取り搬送部Ｅへ送り込む処理時間の短縮が図られている。
原稿先端が読み取り入口センサ１５により検出されると、読み取り入口ローラ１６の上下ローラ対のニップに原稿先端が進入前に原稿搬送速度を読み取り搬送速度と同速にするために減速を開始する。それと同時に、読み取りモータ３８を正転駆動して読み取り入口ローラ１６、読み取りローラ１９、読み取り出口ローラ２１を駆動する。
原稿の先端をレジストセンサ１７にて検知すると、読み取りモータ３８のパルスカウントにより検出された原稿先端が読み取り部５０に到達するタイミングで、読み取り部５０を原稿後端が抜けるまで、本体制御部４７に対して画像面の副走査方向有効画像領域を示すゲート信号が送信される。
片面原稿読み取りの場合には、下反転切り換え爪２３、両面切り換え爪３０は実線で示す位置にあり、読み取り搬送部Ｅを通過した原稿は排紙部Ｊへ搬送される。
下反転切り換え爪２３、両面切り換え爪３０は、それぞれ、実線のｅ、ｉ、破線のｆ、ｊの間で切り換えられる。このさい、排紙センサ２２により原稿の先端を検知すると、排紙モータ（駆動部）３９を正転駆動して排紙ローラ２８を反時計方向に回転させる。
また、排紙センサ２２による原稿の後端検知からの排紙モータ３９のパルスカウントにより、原稿後端が排紙ローラ２８の上下ローラ対のニップから抜ける直前に排紙モータ３９の駆動速度を減速させて、排紙トレイ２９上に排出される原稿が飛び出さないように制御される。
【００１０】
ここで片面原稿読み取り時の次の原稿の先出し動作について説明する。突当てセンサ１１が原稿の後端を検知すると、給紙モータ３７のパルスカウントにより原稿後端がプルアウトローラ１２を抜けたタイミングで給紙モータ３７をいったん停止し再び正転方向に回転駆動する。この動作により次原稿の給紙動作が開始される。
このとき、ターンローラ１４の駆動は停止しているが、タイミングプーリにはワンウエイクラッチが内蔵されているためターンローラ１４は連れ回りするようになっている。給紙された次原稿はプルアウトローラ１２に突き当てられた状態で待機している。
先行する原稿が或る位置（本実施の形態では読み取り入口センサ１５を原稿後端が抜けてパルスカウントし読み取り入口ローラ１６近傍）に到達すると、給紙モ−タ３７を逆転駆動することにより次原稿はプルアウトローラ１２から搬送されるようになっている。
図３は可動原稿テーブルの上下動を実行する原稿セット部持ち上げ機構の構成を示す概略図である。図４は本発明を適用する自動原稿搬送装置（ＡＤＦ）の動作タイミングを示すタイミングチャートである。図１、図２、図３および図４を参照して、底板の動作制御について説明する。なお、底板を上下動させる機構としてはどのような構成であってもよいが、本実施形態では図示した如き構成を一例として示す。
即ち、駆動源としての底板上昇モータ４２の正／逆転を利用して制動板駆動軸５５を回転可動させることにより、この制動板駆動軸５５に取り付けられた制動板駆動部材５６の押圧部分５７が底板制動板５４の他端部を押し下げる。これにより底板制動板５４の先端側と可動原稿テーブル３の接点作用により底板（可動原稿テーブル）３が上下動する構成になっている。
【００１１】
可動原稿テーブル３をピックアップローラ７に当接し、給紙可能な状態位置から本体制御部４７より発行されるＩ／Ｆを介して、分離・突き当て動作を行うために給紙モータ３７を駆動回転させる。プルアウトローラ１２に所定量の撓みを持って押し当てられた状態で停止させ、先端の整合によるスキュー補正を実行する。
突き当て停止によるスキューの補正が完了後、今度は給紙モータ３７を逆回転させ、さらに機内へ原稿を搬送させ所定のレジスト位置にて停止させる。すると、本体制御部４７より発行される読み取り開始信号により指示された読み取りスピードにて原稿を搬送させ、原稿先端側から読み取りを行う。
この原稿読み取り中に、読み取り原稿の後端はセット検知位置を通過し、さらに分離ＳＮオフ、突き当てＳＮオフと搬送される。その場合、セットされた原稿束の最終紙で無い限り原稿未セットを確定・ＩＦ送信することはなく、プルアウトローラ１２を後端が通過した時点で、次原稿有無判定コマンドが発行される。
本体・ＡＤＦともに次原稿有りと確定する。次原稿有りならば本体ＩＦ無しに次原稿を分離開始し、再びレジスト位置まで搬送し、次の読み取りを続行するシステム構成となる。
原稿束１の最終紙が搬送され、原稿セットフィラー４が用紙後端を検出すると、コントローラ部４８は原稿未セットのコマンド送信を行う。原稿の搬送途中に送出される次原稿有無判定コマンドにより次原稿なしと確定されることとなる。本実施の形態においては図４の破線（タイミングＴ）のように底板の下降開始タイミングが、次原稿有無判定コマンドの送出時点となる。
【００１２】
第２の実施の形態において、ＡＤＦを制御するコントローラ部４８にて原稿セットセンサ５の入力を常に監視する。つまりコントローラ部４８は、原稿束の最終紙検知における原稿セット部の最下降位置への下降動作を所定時間待っている間に再び原稿がセットされるか否かを検知する機能を有する。最終原稿搬送後の原稿セットセンサ５の未検出から次原稿有無判定コマンド送出までの間に再び原稿がセットされた場合には、原稿セットコマンドを送出するようにする。この場合には次の原稿有無判定時点で原稿有りのため、本体・ＡＤＦともに次原稿有りと確定し（底板を下降させずに）、次原稿をレジスト位置まで搬送、読み取りを継続することとなる。
次原稿有無判定コマンドを送出以後、原稿が再セットされた場合にはすでに次原稿なしと確定されているため、原稿の搬送は行わず、次のコピーボタン押下を待って、原稿を搬送することとなる。この場合の底板動作はいったん下降動作を実行し、最下降位置まで移動後、再セットを検出することにより再び上昇となる。
第３の実施の形態において、ＡＤＦを制御するコントローラ部４８にて原稿セットセンサ５の入力を常に監視し、最終原稿搬送後の原稿セットセンサ５未検出から次原稿有無判定コマンド送出までの間に再び原稿がセットされた場合には、原稿セットコマンドを送出するようにする。
この場合には次原稿有無判定時点で原稿有りのため、本体・ＡＤＦともに次原稿有りと確定し、次原稿をレジスト位置まで搬送、読み取りを継続することとなる。最終原稿（原稿未セット検知後）の次原稿有無判定時点で原稿なしと確定されない限り底板の下降制御は実行しないように制御を行う。
【００１３】
第４の実施の形態において、ＡＤＦを制御するコントローラ部４８にて原稿セットセンサ５により原稿未セットを検知したさい、底板（可動原稿テーブル３）を即座に下降動作開始させるが、最下降位置までの動作途中の所定時間経過後に下降動作を停止させる。
読み取りを続行している原稿の次原稿有無判定までの間に、再び原稿がセットされない場合には次原稿なしと確定し、底板を最下降位置まで下降させ、次セットに備える。
最終原稿搬送における底板のホームポジションへの下降動作開始は従来通り原稿セット検知センサの後端検知時であるが、ホームポジションである最下降位置までの中間地点で所定時間停止させることにより、継ぎ足し原稿が或る程度の束状態であっても給紙に対する適正な底板位置を確保することができ、原稿のセット基準が壁状態となることにより明確になる。つまり、原稿束を継ぎ足した場合に、セットした原稿束の最終紙がピックアップローラ７に無理に押し付けられることがなくなり、最上位紙位置が給紙最適位置を越えることがなくなり、原稿ジャムが発生することがなくなる。さらに、最下降位置まで下がっていない状態から、給紙適正位置まで底板を上昇させることにより時間のロスを抑え、複写生産性を向上させることが可能となる。
【００１４】
第５の実施の形態において、ＡＤＦを制御するコントローラ部４８は原稿セット部の下降動作開始から中間下降位置に所定時間停止している間に再び原稿がセットされるか否かを検知する機能を有する。コントローラ部４８にて原稿セットセンサ５により原稿未セットを検知した際、底板（可動原稿テーブル３）を即座に下降動作開始させるが、最下降位置までの動作途中の所定時間経過後に下降動作を停止させる。下降動作が停止した状態で、読み取りを続行している原稿の次原稿有無判定までの間に、再び原稿がセットされた場合には原稿セットコマンドを送出する。そして、本体・ＡＤＦともに次原稿ありと確定し、底板（可動原稿テーブル３）を再度上昇させて次原稿をレジスト位置まで搬送、読み取りを継続することとなる。
第６の実施の形態において、ＡＤＦを制御するコントローラ部４８にて原稿セットセンサ５により原稿未セットを検知したさい、底板（可動原稿テーブル３）を即座に下降動作開始させるが、最下降位置までの動作途中の所定時間経過後に下降動作を停止させる。
下降動作が停止するまでの間に、再び原稿がセットされた場合には原稿セットコマンドを送出する。その結果、次原稿有無判定にて本体・ＡＤＦともに次原稿有りと確定し、底板を再度上昇させて最上位原稿をピックアップローラに当接させ、次原稿をレジスト位置まで搬送、読み取りを継続することとなる。
【図面の簡単な説明】
【００１５】
【図１】本発明を適用する自動原稿搬送装置の実施の形態を示す概略図。
【図２】図１の自動原稿搬送装置の制御ブロック図。
【図３】可動原稿テーブルの上下動を実行する原稿セット部持ち上げ機構の構成を示す概略図。
【図４】本発明を適用する自動原稿搬送装置（ＡＤＦ）の動作タイミングを示すタイミングチャート。
【符号の説明】
【００１６】
Ａ  原稿セット部
１  原稿束  
５  原稿検知部材（原稿セットセンサ）
７  呼び出し手段（ピックアップローラ）
４８  コントローラ（コントローラ部）
５４  原稿セット部持ち上げ機構（底板制動板）
５５  原稿セット部持ち上げ機構（制動板駆動軸）
５６  原稿セット部持ち上げ機構（制動板駆動部材）
５７  原稿セット部持ち上げ機構（制動板駆動部材のＬ字部分）
【図１】
2006246257.tif 000003
【図２】
2006246257.tif 000004
【図３】
2006246257.tif 000005
【図４】
2006246257.tif 000006